(57)【要約】      （修正有）【課題】パウチ内を仕切る部材に排泄物中の水分が直接触れるのを防ぎ、ガス抜きが良好に行える人工肛門用パウチを提供する。【解決手段】パウチ１内部を２重の防水膜ａ、ｂで仕切ってガス室Ａを設け、ガス室Ａに消臭パックと排気チューブの一端を挿入する。２重構造の内側の防水膜ａは防水透湿性素材で形成した窓４を設けて通気可能にし、２重構造の外側の防水膜ｂは上端を開口して通気可能にする。【選択図】図1
0003166286.tif 000002
【実用新案登録請求の範囲】
【請求項１】
パウチ内部を少なくとも２重の防水膜で仕切って消臭手段と排気手段を備えたガス室を設け、
前記２重構造の内側の防水膜は防水透湿性素材を用いて通気可能にし、
前記２重構造の外側の防水膜は周縁の一部を開口して通気可能にしたことを特徴とする人工肛門用パウチ。
【請求項２】
前記２重構造の内側の防水膜は、その一部に防水透湿性素材で形成した窓を設けたことを特徴とする請求項１記載の人工肛門用パウチ。
【請求項３】
前記２重構造の外側の防水膜は、その上端を開口し、下端をミシン目状にシールしたことを特徴とする請求項１記載の人工肛門用パウチ。
【請求項４】
前記防水透湿性素材が米国ＷＬゴア＆アソシエイツ社製の商品名「ゴアテックス」であることを特徴とする請求項１記載の人工肛門用パウチ。
【請求項５】
前記消臭手段が活性炭であることを特徴とする請求項１記載の人工肛門用パウチ。
【考案の詳細な説明】
【技術分野】
【０００１】
本考案は、人工肛門(ストーマ)から排泄する排泄物を溜めるパウチに関し、特にパウチ内に溜まったガスを外部に抜く手段の改良に関する。
【背景技術】
【０００２】
従来の人工肛門用パウチは、特許文献１に示すように、パウチ内に液体不透過性で且つ通気性を有する部材を配置して排泄物を溜める空間Ａとガス抜きする空間Ｂを仕切り、使用者が身体を激しく動かしたり、身体を横にしたりしても排泄物が外に漏れ出ないようにしていた。
【０００３】
しかし上記液体不透過性で且つ通気性を有する部材は、例えば米国ＷＬゴア＆アソシエイツ社製の商品名「ゴアテックス」の場合、排泄物中の水分が触れると、表面に水の膜ができて目詰まりを起こし、透湿性が阻害されて通気性がなくなる性質がある。そのためガス抜きが上手く行われなくなり、パウチが膨張して人工肛門から外れたりするなどの問題があった。
【先行技術文献】
【特許文献】
【０００４】
【特許文献１】特開２０００−３２５３８１号公報
【考案の概要】
【考案が解決しようとする課題】
【０００５】
本考案は、上記従来の問題に鑑みなされたものであり、その目的とするところは、パウチ内を仕切る部材に排泄物中の水分が直接触れるのを防ぎ、ガス抜きが良好に行える人工肛門用パウチを提供することにある。
【課題を解決するための手段】
【０００６】
そのため本考案は、パウチ内部を少なくとも２重の防水膜で仕切って、仕切り内に消臭手段と排気手段を備えたガス室を設け、前記２重構造の内側の防水膜に防水透湿性素材を用いて通気可能にし、前記２重構造の外側の防水膜は周縁の一部を開口して通気可能にしたことを最も主要な特徴とする。
【考案の効果】
【０００７】
本考案は、パウチ内部を２重の防水膜で仕切るので、外側の防水膜に阻止されて内側の防水透湿性素材まで排泄物中の水分が浸透しなくなる。また、外側の防水膜の周縁の一部を開口するので、内側の防水透湿性素材までガスが自由に流通する。その結果、防水透湿性素材の通気性が保たれ、ガス抜きが良好に行える。
【図面の簡単な説明】
【０００８】
【図１】本考案を実施した人工肛門用パウチの一部を断面で示す側面図である。
【図２】表側の防水シートｓ１の内側平面図である。
【図３】裏側の防水シートｓ２の外側平面図である。
【図４】防水膜ａの平面図である。
【図５】防水膜ｂの平面図である。
【考案を実施するための形態】
【０００９】
以下、本考案の実施の形態について説明する。
【００１０】
図１に、本考案を実施した人工肛門用パウチの一部を断面で示す側面図を示す。
人工肛門用パウチは、パウチ１内部を２重の防水膜ａ、ｂで仕切ってガス室Ａを設け、そのうち内側（ガス室Ａ側）の防水膜ａには防水透湿性素材で形成した窓４を設け、窓４を経て通気可能にし、２重構造の外側の防水膜ｂは上端を開口５して通気可能に形成する。
パウチ１は、ポリ塩化ビニルなどの樹脂フィルムで形成した２枚の防水シートｓ１、ｓ２を貼り合わせて扁平な袋状容器を形成し、貼り合わせは、防水シートｓ１、ｓ２の対向周縁部を接着あるいは熱溶着させて行う。防水膜ａ、ｂはそれぞれ１枚に限定することなく、多層に重ねて配置してもよい。
【００１１】
図２と図３に、表側と裏側の防水シートｓ１、ｓ２の平面図を示す。ここで裏側が身体に面する側に、また表側が外側にそれぞれ相当する。
防水シートｓ１、ｓ２には、肩部と底部にそれぞれ幅狭・幅広２種類の出っ張りｄ１、ｄ２を形成する。防水シートｓ１とｓ２の出っ張りｄ１を重ね合わせ縁をシールして袖状の排気口ｈを形成する。排気口ｈの近傍の防水シートｓ１内側に消臭パック２を取り付ける。
排気口hには排気チューブ３を挿入し、排気口hの内側と排気チューブ３の外周をシールして閉鎖し、排気口hに排気チューブ３を確実に接続する。消臭パック２は排気直前の位置に配置されるため、未消臭ガスの流出が防止できる。
【００１２】
消臭パック２は、活性炭などの臭気吸着剤を通気性のある不織布などで包装して形成する。排気チューブ３は、可撓性のある樹脂などで形成し、表裏２枚の防水シートｓ１、ｓ２の間に包み込んで一端を接続し、他端にキャップｃを取り付けて開閉可能にする。１１は延長チューブで、排気チューブ３に接続し、先端開口を襟元付近に位置させて使用するが、就寝中は取外す。
【００１３】
出っ張りｄ２は、底辺を開口してパウチ１内の排泄物排出口１０を設ける。使用時は、出っ張りｄ２の部分を折り曲げてクリップで挟んで排出口１０を閉鎖する。使用後は、パウチ１を人体から取り外し、クリップを外して排出口１０を開放し、内部を洗浄後乾燥して再使用する。
【００１４】
裏側の防水シートｓ２は、中央上部を開口して排泄物の取り入れ口７を設け、その外側の外周にリング状の薄い接着板８を取り付ける。接着板８は、シリコンゴムのような肌にやさしい柔軟材料で形成し、表面を剥離紙９で被覆して表面の接着剤を保護する。剥離紙７はつまみｐを設けて剥がし易すくする。
【００１５】
パウチ１の取り付けは、人工肛門の周囲の皮膚を十分に清潔にした後、つまみｐを摘んで接着板８から剥離紙９を引き剥がし、人工肛門に取り入れ口５の位置を合わせた後、指で押圧して接着板８を人工肛門の周囲の皮膚に貼り付ける。これで人工肛門にパウチ１の取り入れ口７が連結される。
【００１６】
図４と図５に、防水膜ａ、ｂの平面図を示す。
防水膜ａは、排気口ｈを除く周縁部を防水シートｓ１に対し完全シールしてパウチ１内部を仕切り、排気口ｈから離れた位置に窓４を設ける。このように排気口ｈから遠く離れた位置に窓４を配置して窓４から排気口ｈへ抜けるガスの通り道を作る。窓４は防水透湿性生地で構成する。窓４が通気性を保ちながらガス室Ａへの排泄物の侵入を遮断する。防水透湿性生地は、例えば米国ＷＬゴア＆アソシエイツ社製の商品名「ゴアテックス」などを用いることができる。
【００１７】
防水膜ａは、全体を防水透湿性素材で形成してもよいが、防水透湿性素材の窓４を設けると、防水透湿性素材に排泄物中の水分が触れるリスクを抑制でき、また割高な防水透湿性素材の使用量を抑えてコストを低減できる。
【００１８】
防水膜ｂは、排気口ｈを含む左右両側縁部を完全シールし、上端を開口５して下端を防水シートｓ１に対し粗い（綴じ部＝２〜３）ミシン目状か点状にシール６する。これら開口５及びシール６により通気性を保ちながら防水膜ａの窓４に排泄物が直接触れるのを防ぐ。また、下端をミシン目状または点状にシール６することで、防水膜ａとｂの間に排泄物が侵入してもパウチ本体へ排出する。
【００１９】
以上の構成において、人工肛門から取り入れ口７を介してパウチ１内に排泄物が流入して溜まる。そして、このとき、身体を激しく動かしたり、身体を横にしたりしても、パウチ１内部に配置した２重の防水膜ａ、ｂによってガス室Ａが仕切られているため、パウチ１内に溜まった排泄物がガス室Ａに流入することはなく、排泄物中の水分についても同様にガス室Ａへの流入は阻止されるので、排泄物等が排気チューブ３から誤って漏れ出るような不都合は起こらない。
【００２０】
一方、パウチ内に溜まったガスは、外側の防水膜ｂの開口部と内側の防水膜ａの防水透湿性素材を自由に通過するため、ガス室Ａ内へ流入し、排気チューブ３を介して排気される。このとき、ガス室Ａ内に設けた消臭パック２によってパウチ１内のガスは除臭されて外部に放出される。その結果、パウチ１内のガス抜きが快適に行われる。
このようにガス室Ａにはガスのみが進入し、排泄物中の水分は入ってこないので、消臭パック２の消臭効果が長時間適切に維持される。
【符号の説明】
【００２１】
１      パウチ
２      消臭パック
３      排気チューブ
４      窓
５      開口
６      ミシン目状シール
７      取り入れ口
８      接着板
９      剥離紙
１０    排出口
Ａ      ガス室
ａ、ｂ  防水膜
ｃ      キャップ
ｄ      出っ張り
ｈ      排気口
ｐ      つまみ
ｓ      防水シート
【図１】
0003166286.tif 000003
【図２】
0003166286.tif 000004
【図３】
0003166286.tif 000005
【図４】
0003166286.tif 000006
【図５】
0003166286.tif 000007